(57)【特許請求の範囲】
【請求項１】
使用位置と起立位置との間でフラップ動作可能な天板と、天板を支持し下端部にキャスタを有する脚体とを具備し、
前記キャスタが、床面に対して転動する車輪を備えたキャスタ本体と、前記車輪の動作をロックするロック状態と前記ロックが解除されたロック解除状態とに相互に切り換えるロック手段とを有するとともに、
前記天板が起立位置にある際に、前記ロック手段をすべてロック解除状態にするロック解除手段をさらに具備する天板付家具であって、
前記キャスタを脚ベースの長手方向に沿って所定距離離間して対をなして設け、前記ロック手段を作動させるために外力により操作される操作手段と、前記脚ベースの内部において前記操作手段と前記ロック手段との間に介在するとともに対をなすキャスタのロック手段を接続し、ロック手段をロック状態とするロック位置とロック手段をロック解除状態とするアンロック位置との間を移動可能な操作力伝達手段と、前記操作力伝達手段をロック位置及びアンロック位置のいずれかに選択的に係止する係止手段とを具備し、
係止手段を、前記天板が使用位置にある際にのみ機能させるようにしているとともに、前記ロック解除手段が、前記天板が起立位置にある際に前記操作力伝達手段を常にアンロック位置に位置させるようにしているとともに、
前記係止手段が、天板に付勢されて動作するピンと、前記操作力伝達手段に接続され前記天板が使用位置にある際にのみ前記ピンと係合可能なカム部材とを具備し、
さらに、前記カム部材が、前記操作手段に対する同一の操作を受けて、前記操作力伝達手段をロック位置及びアンロック位置のいずれかに排他的に切り替えるトグル機能を有することを特徴とする天板付家具。
【請求項２】
前記操作力伝達手段をアンロック位置側に付勢する付勢手段を利用して前記ロック解除手段を形成していることを特徴とする請求項１記載の天板付家具。
【発明の詳細な説明】
【技術分野】
【０００１】
本発明は、使用位置と起立位置との間でフラップ動作可能な天板と、天板を支持し下端部にキャスタを有する脚体とを具備する天板付家具に関する。
【背景技術】
【０００２】
従来、使用位置と起立位置との間でフラップ動作可能な天板と、天板を支持し下端部にキャスタを有する脚体とを具備する種々の天板付家具の構成が考えられている。
【０００３】
その一例として、天板のフラップ動作に伴いアジャスタを昇降させるものが考えられている。このような天板付家具では、天板が使用位置にある際にはアジャスタを接地させてキャスタを利用した天板付家具の移動を抑止するとともに、天板が起立位置にある際にはアジャスタを床面から離間させてキャスタを利用した天板付家具の移動を可能にしている。（例えば、特許文献１を参照。）
【特許文献１】特許第３６１４４０８号公報
【発明の開示】
【発明が解決しようとする課題】
【０００４】
しかして、特許文献１記載の構成では、キャスタの他にアジャスタを設ける必要がある。すなわち、特に脚ベースにキャスタを設ける態様においては、天板が使用位置にある際に天板付家具をより安定して設置するようにすべく、脚ベースの両端にアジャスタを設ける必要がある。このとき、キャスタはアジャスタよりも脚ベースの長手方向中央寄りに配されるので、移動の際に天板付家具が不安定となり、天板付家具が転倒する不具合が起こりやすくなる。また、脚ベースにキャスタを設ける態様以外であっても、キャスタの他にアジャスタを設ける必要があるので、脚体にアジャスタの設置スペースを確保する必要がありデザインの自由度が制限される不具合も発生する。
【０００５】
本発明は、このような課題を解決すべく構成するものである。
【課題を解決するための手段】
【０００６】
すなわち本発明に係る天板付家具は、使用位置と起立位置との間でフラップ動作可能な天板と、天板を支持し下端部にキャスタを有する脚体とを具備し、前記キャスタが、床面に対して転動する車輪を備えたキャスタ本体と、前記車輪の動作をロックするロック状態と前記ロックが解除されたロック解除状態とに相互に切り換えるロック手段とを有するとともに、前記天板が起立位置にある際に、前記ロック手段をすべてロック解除状態にするロック解除手段をさらに具備する天板付家具であって、前記キャスタを脚ベースの長手方向に沿って所定距離離間して対をなして設け、前記ロック手段を作動させるために外力により操作される操作手段と、前記脚ベースの内部において前記操作手段と前記ロック手段との間に介在するとともに対をなすキャスタのロック手段を接続し、ロック手段をロック状態とするロック位置とロック手段をロック解除状態とするアンロック位置との間を移動可能な操作力伝達手段と、前記操作力伝達手段をロック位置及びアンロック位置のいずれかに選択的に係止する係止手段とを具備し、係止手段を、前記天板が使用位置にある際にのみ機能させるようにしているとともに、前記ロック解除手段が、前記天板が起立位置にある際に前記操作力伝達手段を常にアンロック位置に位置させるようにしているとともに、前記係止手段が、天板に付勢されて動作するピンと、前記操作力伝達手段に接続され前記天板が使用位置にある際にのみ前記ピンと係合可能なカム部材とを具備し、さらに、前記カム部材が、前記操作手段に対する同一の操作を受けて、前記操作力伝達手段をロック位置及びアンロック位置のいずれかに排他的に切り替えるトグル機能を有することを特徴とする。
【０００７】
このように構成すれば、前記天板が起立位置にある際には、前記ロック解除機構によりキャスタのロック手段自体をロック解除状態にするので、天板の移動に伴いアジャスタを昇降させる前記特許文献１記載の構成と比較して、アジャスタの設置スペースを必要とせず、脚体のデザインの自由度を向上できるとともに、脚ベースにキャスタを設ける態様を採用する場合には、キャスタをよりベースの両端寄りに設置でき、従ってこのような天板付家具を安定して設置できる。また、前記天板が起立位置にある際には、すべてのキャスタは必ずロック解除状態となるので、前記天板を起立位置にしてこのような天板付家具を運搬する際に、キャスタのロック手段をロック状態にしたまま天板付家具を移動させようとしてしまうことに伴い発生する、キャスタの故障等の不具合の発生を防ぐことができる。
【０００８】
また、前記キャスタを脚ベースの長手方向に沿って所定距離離間して対をなして設け、前記ロック手段を作動させるために外力により操作される操作手段と、前記脚ベースの内部において前記操作手段と前記ロック手段との間に介在するとともに対をなすキャスタのロック手段を接続し、ロック手段をロック状態とするロック位置とロック手段をロック解除状態とするアンロック位置との間を移動可能な操作力伝達手段と、前記操作力伝達手段をロック位置及びアンロック位置のいずれかに選択的に係止する係止手段とを具備し、係止手段を、前記天板が使用位置にある際にのみ機能させるようにしているとともに、前記ロック解除手段が、前記天板が起立位置にある際に前記操作力伝達手段を常にアンロック位置に位置させるようにしているので、前記天板が起立位置にある際には、前段で述べたような効果を得ることができるようにしつつ、前記天板が使用位置にある際には、必要に応じて対をなして設けたキャスタを同時にロック状態又はアンロック状態とすることができる。
【０００９】
さらに、前記係止手段が、天板に付勢されて動作するピンと、前記操作力伝達手段に接続され前記天板が使用位置にある際にのみ前記ピンと係合可能なカム部材とを具備する構成により、上述したロック解除機構を簡単な構成により実現できる。
【００１０】
加えて、前記カム部材が、前記操作手段に対する同一の操作を受けて、前記操作力伝達手段をロック位置及びアンロック位置のいずれかに排他的に切り替えるトグル機能を有するので、簡単な操作でロック手段のロック又はアンロックを行えるようにすることができる。
【００１１】
前段に述べたような天板付家具において、前記天板が起立位置にある際にロック手段をアンロック位置にしておくための構成として、前記操作力伝達手段をアンロック位置側に付勢する付勢手段を利用して前記ロック解除手段を形成しているものが挙げられる。
【発明の効果】
【００１２】
本発明は、以上のような構成であるから、前記天板が起立位置にある際には、前記ロック解除機構によりキャスタのロック手段自体をロック解除状態にするので、天板の移動に伴いアジャスタを昇降させる構成と比較して、アジャスタの設置スペースを必要とせず、キャスタをよりベースの両端寄りに設置できるので、このような天板付家具を安定して設置できる。
【発明を実施するための最良の形態】
【００１３】
以下、本発明の一実施形態を、図面を参照して説明する。
【００１４】
本実施形態では、本発明に係るテーブルＴは、全体斜視図である図１、及び側面図である図２に示すように、家具本体たるテーブル本体２と、当該テーブル本体２を下方より支持する脚体１とを具備している。ここで本実施形態において、テーブルＴの使用端側を前端側と記載し、反使用端側を後端側と記載するものとする。
【００１５】
テーブル本体２は、前記図１及び図２に示している使用位置から側面図を図３に示すような起立位置へとフラップ動作可能に左右の脚柱１１に支持させた天板２０と、天板２０の後端側に下肢空間を隠蔽すべく設けたパネル２１とを具備してなる。そして、天板２０を起立位置に保持した状態で、当該テーブルＴと他のテーブルＴの脚ベース１０同士を一部重合し得るように構成している。なお、図２以降では、パネル２１は省略して示している。
【００１６】
次に、脚体１の各部の具体的な構成について、以下に詳述する。
【００１７】
前記図１及び図２に示すように、脚体１は脚ベース１０と、脚柱１１と、テーブルＴの使用端側に位置する第一キャスタ３と、該第一キャスタ３と略同一構成でありテーブルＴの反使用端側に位置する第二キャスタ４とを具備している。
【００１８】
ここで、本実施形態において一対のキャスタ３、４は床面に対して移動不能にロックされるロック状態と前記ロックが解除されたロック解除状態とを相互に切り換える後述のロック手段３Ａ、４Ａを有している。そして本実施形態に係る脚体１はロック手段３Ａ、４Ａを作動させるために外力により操作される後述の操作手段５と、該操作手段５に入力された操作力を一対のロック手段３Ａ、４Ａに同時に伝達する後述の操作力伝達手段６とを具備することにより、一対のキャスタ３、４のロック又はロック解除を同時に行うことを可能としている。このような機構の詳細は後で説明する。また、キャスタ３と操作力伝達手段６との接続部の平面図を図４に示す。
【００１９】
脚ベース１０は、テーブルＴの前後方向に延びる平面視縦長な略矩形状をなす上壁１０ｃと、該上壁１０ｃの両側端より下方に連続する側壁１０ｄ、１０ｅと、脚ベース１０の前端、後端において上壁１０ｃと側壁１０ｄ、１０ｅとに連続する前端壁１０ａ及び後端壁１０ｂとを一体に有し、下側に開放された部材であり、例えばプレス成形等により形成される。そして、脚ベース１０の両側壁１０ｄ、１０ｅにおける前後両端部には、キャスタ３、４に形成した取付爪３２２ａ、４２２ａと係合可能なキャスタ取付孔（図示略）を形成している。
【００２０】
脚柱１１は、脚ベース１０の後端壁１０ｂ側において下端部を支持されるとともに斜め前方へ傾斜して立ち上がり、上端側に位置する天板支持部においてテーブル本体２を支持するものである。また、脚柱１１の上端部において天板２０を前記起立位置へとフラップ動作可能に支持する天板支持部を設けている。
【００２１】
第一キャスタ３及び第二キャスタ４は、一般に低床キャスタと称されるものであり、本実施形態において、それぞれ同様の構成を有している。以下、これら一対のキャスタ３、４のうち第一キャスタ３について前記図４、及び脚ベース１０の幅方向中央で切断した状態の断面図である図５に示して具体的に説明する。なお、前記図５では、脚ベース１０及び脚柱１１は、想像線により示している。
【００２２】
第一キャスタ３は、キャスタ本体３１と、このキャスタ本体３１を支持するとともに取付爪３２２ａを介して脚ベース１０に位置決めされるケース３２及びケース３２に対して水平方向に摺動するロックレバー３３とを具備している。
【００２３】
キャスタ本体３１は、水平軸心回りに回動する一対の走行用の車輪たる本車輪３１１と、本車輪３１１よりも小径で走行中床面から浮上した位置にある障害物乗り越え用の補助車輪３１２と、本車輪３１１及び補助車輪３１２を鉛直軸心回りに旋回可能に支持する旋回機構たる台座３１３とを具備している。本車輪３１１は台座３１３の軸心から一方方向、図示例においては前方向に偏位した位置に、補助車輪３１２は前記台座３１３の軸心から図示例において後方に偏位した位置に設けられ、該補助車輪３１２は、前記台座３１３の鉛直軸心回りの回動により走行時に前記本車輪３１１よりも常に進行方向前側に位置して障害物を乗り越え得るように構成されている。台座３１３は、円盤状のものであり、該台座３１３よりも若干大きな巾寸法を有する有底円筒状のケース３２内に収容され、その側壁の外面と、ケース３２の側壁の内面との間に介在させた複数のボールからなるベアリングにより前記ケース３２に対して鉛直軸心回りに旋回可能に取り付けている。
【００２４】
さらにキャスタ本体３１の内部について詳述すると、キャスタ本体３１の上部における台座３１３の軸心と重複する位置には、ロックピン３１４が上下動可能に設けられている。このロックピン３１４は、上端部に前記ロックレバー３３の上面と当接可能な当接部３４１ａを設けていて、前記ロックレバー３３の上面にガイドされて上下動する。一方、上述した本車輪３１１には、該本車輪３１１と同軸に外歯車３１５が設けられており、この外歯車３１５の外周面には複数の歯部３１５ａが形成されている。また、この外歯車３１５近傍には、軸支点（図示略）において台座３１３に対して回動可能に軸支された車輪止め３１６が設けられており、この車輪止め３１６の自由端側がロックピン３１４に追従するようにロックピン３１４の下端部に接続しているとともに車輪止め３１６の下面には外歯車３１５の歯部３１５ａと係合し得る突起（図示略）が設けられている。さらに、車輪止め３１６の上方には台座止め３１７が配置されており、その略中央部に形成された軸部（図示略）が台座３１３に軸支されている。この台座止め３１７の基端部が上述した車輪止め３１６に接していることにより、車輪止め３１６の回動に伴い台座止め３１７の先端部が上下するとともに該先端部が上述した台座３１３に設けられた開口部から上方へ突出し得るように構成している。
【００２５】
ケース３２は、キャスタ本体３１を旋回可能に収納する内ケース３２１と、前記内ケース３２１を内嵌させて取り付ける外ケース３２２とを有している。
【００２６】
内ケース３２１は、その上側面において周方向に沿って上述した台座止め３１７の先端部と係り合う複数の係止穴３２１ａを形成している。
【００２７】
外ケース３２２は、前記脚ベース１０に形成したキャスタ取付孔（図示略）と係合可能な取付爪３２２ａを有するとともに内部に前記内ケース３２１を内嵌可能である。
【００２８】
ロックレバー３３は、先端側が上述したケース３２の摺動空間３２Ｓに摺動可能に挿入されるとともに基端側がケース３２の外へ露出するように位置付けられている。また、ロックレバー３３の上面に、ロックピン３１４の上端と当接する当接部３３１を形成している。この当接部３３１は、前部に位置し略鉛直上方を向く第１当接面３３１ａと、後部に位置し略鉛直上方を向くとともに前記第１当接面よりも下方に位置する第２当接面３３１ｂと、これら第１当接面３３１ａ及び第２当接面３３１ｂを接続する傾斜面３３１ｃとを有する。さらに、このロックレバー３３の基端側に、後述する操作力伝達手段６の取付孔６ｘと係合可能な取付突起３３２を形成している。そして、ロックピン３１４の当接部３１４ａをこのロックレバー３３の当接部３３１に当接させたままこのロックレバー３３をテーブルＴの前後方向、すなわち脚ベース１０の長手方向に沿ってスライドさせることにより、ロックピン３１４を上下動させるようにしている。ここで本実施形態において、台座３１３及びロックピン３１４は、台座３１３の旋回する軸線上に位置するように構成しているため、キャスタ本体３１の旋回に拘わらずロックピン３１４とロックレバー３３との相対位置が変化することなく安定してロックピン３１４を操作し得るようになっている。
【００２９】
そして本実施形態において当該キャスタ３は、本車輪３１１及び台座３１３の動作をロックするロック状態と前記ロックが解除されたロック解除状態とに相互に切り換えるロック手段３Ａを有しており、当該ロック手段３Ａについて、以下に詳述する。
【００３０】
前記図５に示すように、ロックピン３１４がロックレバー３３の第１当接面３３１ａに当接してロックピン３１４が上方に位置する状態においては、外歯車３１５の歯部３１５ａと車輪止め３１６の突起（図示略）との係合並びに台座止め３１７の先端部と内ケース３２１の係止穴３２１ａとの係合が解除されることにより当該ロック状態が解除される。一方、図７に示すような、ロックレバー３３を水平方向に移動させることによりロックピン３１４がロックレバー３３の第２当接面３３１ｂに当接している状態、すなわちロックピン３１４が下側に位置している状態では、外歯車３１５の歯部３１５ａと車輪止め３１６の突起（図示略）とが係合するとともに台座止め３１７の先端部と内ケース３２１の係止穴３２１ａとが係合することにより、本車輪３１１の回動と台座３１３の旋回とが同時にロックされるロック状態となる。このように本実施形態において、上述のように機能するロックピン３１４を含むキャスタ本体３１とロックレバー３３とによって、本発明に係るロック手段３Ａを構成するものとしている。なお、前記図７では、脚ベース１０及び脚柱１１は、想像線により示している。
【００３１】
他方、脚ベース１０の後端壁１０ｂ側には上述した第一キャスタ３に対向して位置付けられている第二キャスタ４が設けられている。ここで、当該第二キャスタ４は、上述した第一キャスタ３と同様の構成を有しているので詳細な説明を省略するものとする。また、第二キャスタ４におけるロックレバーを４３、ロック手段を４Ａと記載するように、第一キャスタ３に対応する第二キャスタ４の各箇所並びに構成要素には、符号の第一桁の「３」を「４」に置き換えて記載するものとする。ここで、脚ベース１０の幅方向中央で切断した状態の断面図を図６及び図８に示す。図６はロック手段４Ａをロック解除状態とした場合の図である。また、図８はロック手段４Ａをロック状態とした場合の図である。なお、前記図６及び図８では、脚ベース１０及び脚柱１１は、想像線により示している。
【００３２】
ここで、本実施形態に係る脚体１は、図５〜図８に示すように、脚ベース１０に設けた第一キャスタ３及び第二キャスタ４のロック手段３Ａ、４Ａを作動させるために外力により操作される操作手段５と、脚ベース１０の内部において操作手段５とロック手段３Ａ、４Ａとの間に介在して操作手段５に入力された操作力をロック手段３Ａ、４Ａに同時に伝達する操作力伝達手段６とを具備することにより、該一対のロック手段３Ａ、４Ａにおけるロック動作及びロック解除動作を同時に作動させ得るものとしている。
【００３３】
具体的には、操作手段５は、前記図５及び図７に示すように、外力により押圧されるペダル５１１を有する操作体５１と、脚ベース１０の内部において操作体５１の下端部に当接し、ペダルの移動に伴い回動し操作力伝達手段６と係合する係合子たる振り子部材５２とを有している。そして、これら操作体５１及び振り子部材５２は、それぞれ脚ベース１０の内部に固定された回動軸５１Ｘ、５２Ｘに軸着されている。すなわち、操作体５１及び振り子部材５２は脚ベース１０に間接的に固定された状態となっている。なお、前記回動軸５１Ｘ、５２Ｘは、本実施形態では脚ベース１０の上面に固定して取り付けられる操作体収納具１０１に両端を支持させるようにしている。
【００３４】
さらに詳述すると、前記ペダル５１１は、脚ベース１０の上面に略沿う板状をなし押圧操作を受け付ける本体５１１ａと、本体５１１ａの前端から垂下して設けられ前記回動軸５１Ｘに軸着される取付部５１１ｂと、本体５１１ａの後端から垂下して設けられ下端部において前記振り子部材５２に当接する動作伝達部５１１ｃとを有する。一方、前記振り子部材５２は、回動軸に軸着される取付部５２ａと、この取付部５２ａから後方に延伸して設けられ前記ペダル５１１の動作伝達部５１１ｃに当接する当接部５２ｂと、前記取付部５２ａから下方に延伸して設けられ操作力伝達手段６を押圧する押圧部５２ｃとを有する。
【００３５】
一方、操作力伝達手段６は、一対のロック手段３Ａ、４Ａの間に架設した棒状に延びる板部材６０と、前記振り子部材５２の当接部に当接する当接壁６１とを利用して形成しているものである。前記板部材６０には、前記ロックレバー３３、４３の取付突起３３２、４３２に係合可能な取付孔６ｘ、６ｘを形成していて、これら取付突起３３２、４３２及び取付孔６ｘ、６ｘを係合させることにより板部材６０とロックレバー３３、４３とを接続して、これらを同時に脚ベース１０の長手方向にスライド移動可能にしている。前記当接壁６１は、本実施形態では前記ロックレバー３３の基端部に形成している。
【００３６】
また、前記振り子部材５２の前面に形成した押圧部５２１を前記当接壁６１に当接させることにより係合部Ｐ２を構成している。
【００３７】
そして、ペダル５１１を押圧すると、操作力伝達手段６において、振り子部材５２の下端部５２１の回動に係る上下方向への移動は振り子部材５２の長さと当接壁６１の高さ寸法において許容されるとともに、当接壁６１に振り子部材５２が当接することにより操作力伝達手段６が振り子部材５２に追従して前後方向に移動するように構成している。すなわち、操作力伝達手段６が、振り子部材５２と係合した状態で振り子部材５２の回動に係る上下方向への移動を許容しつつ前後方向への移動に追従して当該前後方向へ移動するように構成している。
【００３８】
また、本実施形態では、前記操作力伝達手段６をロック位置及びアンロック位置のいずれかに選択的に係止する係止手段７を具備する。
【００３９】
この係止手段７は、前記図２、図３、図６、及び図８に示すように、前記操作力伝達手段６の板部材６０に接続しているカム部材７１と、前記脚柱１１内部に配され、下端部が前記カム部材７１に形成した溝７１ｍと係合可能なピン７２と、前記板部材６０及び前記カム部材７１を後方、すなわちロック解除位置側に付勢する付勢手段たるバネ７３とを利用して形成している。また、この係止手段７は、前記操作手段５への同一の操作を受けて前記ロック解除位置から前記ロック位置、又は前記ロック位置から前記ロック解除位置への切替を行うように構成している。ここで、板部材６０にカム部材７１を取り付けた状態の平面図を図９に示す。
【００４０】
さらに詳述すると、前記溝７１ｍは、略ハート型をなし、前記板部材６０をロック位置に位置させる第１係止位置と、前記板部材６０をロック解除位置に位置させる第２係止位置とを有するとともに、これら第１係止位置及び第２係止位置は、ハート型のくぼみの部分に位置している。
【００４１】
前記ピン７２は、脚柱１１内部に配され、上述したように、下端部が前記カム部材７１に形成した溝７１ｍと係合可能である。そして、天板２０が使用位置にある場合の天板２０と脚体１との境界付近の斜視図を図１０に示すように、上端部にはクランク部７２１を形成していて、天板２０が使用位置から起立位置に移動する際にはこの天板２０に付勢されて移動する。なお、このピン７２のクランク部７２１が天板２０に付勢されて移動する機構については後述する。また、前記図１０においては、天板２０の一部を破断して示している。
【００４２】
前記バネ７３は、本実施形態では、前記図５及び図７に示すように、操作体収納具１０１の内部に設けていて、一端部をこの操作体収納具１０１の後端に配しているとともに、他端部を前記振り子部材５２に当接させ、この振り子部材５２をアンロック位置側、すなわち後方に付勢している。そして、この振り子部材５２に当接する前記操作力伝達手段６をもアンロック位置側、すなわち後方に付勢している。
【００４３】
そして、前記第１係止位置又は第２係止位置のいずれかにピン７２が達した際に、この溝７１ｍを設けたカム部材７１を前記バネ７３により後方に付勢し、カム部材７１をピン７２に圧着させることにより前記板部材６０をロック位置又はロック解除位置に選択的に係止させるようにしている。
【００４４】
さらに本実施形態では、前記カム部材７１が、前記操作手段５に対する同一の操作を受けて、前記操作力伝達手段６をロック位置及びアンロック位置のいずれかに排他的に切り替えるトグル機能を有する。
【００４５】
すなわち、ロック及びロックの解除は、いずれも前記ペダル５１１を押圧する同一の操作により行うようにしている。具体的には、ロック操作は、前記操作力伝達手段６をロック解除位置に位置させている状態において、前記ペダル５１１を押圧する。すると、ピン７２がカム部材７１に係合する位置は、前記第２係止位置から、溝７１ｍに沿って前記図９のｘ点まで移動する。すなわち、前記図９の（ａ）に示す状態から同図の（ｂ）に示す状態になる。そして、ペダル５１１に対する操作を中止すると、前記バネ７３により板部材６０及びカム部材７１が付勢され、ピン７２とカム部材７１とは第１係止位置において係合する。すなわち、図９の（ｂ）に示す状態から同図の（ｃ）に示す状態になる。一方、ロック解除操作は、前記操作力伝達手段６をロック位置に位置させている状態において、前記ペダル５１１を押圧する。すると、ピン７２がカム部材７１に係合する位置は、前記第１係止位置からロック解除位置と反対側に移動し、図９のｙ点に達する。すなわち、同図の（ｃ）に示す状態から同図の（ｄ）に示す状態になる。そして、ペダル５１１に対する操作を中止すると、前記バネ７３により板部材６０及びカム部材７１が後方に付勢され、ピン７２とカム部材７１とは第２係止位置において係合する。すなわち、図９の（ｄ）に示す状態から同図の（ａ）に示す状態に戻る。
【００４６】
しかして本実施形態では、前記天板２０が起立位置にある際に、前記ロック手段３Ａ、４Ａをすべてロック解除状態にするロック解除手段８をさらに具備する。
【００４７】
具体的には、前記天板２０が使用位置にある際には、上述したように、また、前記図２に示すように、前記ピン７２の下端部をカム部材７１に係合させているとともに、前記天板２０が起立位置にある際には、前記図３に示すように、前記ピン７２の下端部とカム部材７１との係合を解除し、係止手段７を、前記天板２０が使用位置にある際にのみ機能させるようにしている。そして、前記バネ７３を利用し、前記天板２０が起立位置にある際に前記操作力伝達手段６を常にアンロック位置に位置させるようにしている。
【００４８】
さらに詳述すると、前記ピン７２は、上述したように、また、前記図１０及び天板が起立位置にある場合の天板２０と脚体１との境界付近の斜視図である図１１に示すように、その上端部に動作受付部たるクランク部７２１を有する。一方、天板２０の両側端縁部の下方には、天板２０と脚体１とを接続し、天板２０と共に回動する側部材２０１を設けている。そして、この側部材２０１には、天板２０が収納位置にある際に、前記ピン７２のクランク部７２１を下方から支持し、前記ピン７２の下端を前記カム部材７１よりも上方に位置させてこれらピン７２とカム部材７１との係合を解除するピン押さえ部２０２を形成している。なお、天板２０が使用位置にある場合には、前記ピン押さえ部２０２が前記ピン７２のクランク部７２１を下方から支持している状態を解消して前述したようにピン７２の下端部が前記カム部材７１と係合するようにしている。
【００４９】
すなわち、天板２０が起立位置にある場合には、前記ピン７２のクランク部７２１が前記ピン押さえ部２０２に付勢されて上方に移動し、これにつれて前記ピン７２が上方に移動して前記カム部材７１の溝７１ｍとの係合を解除し、前記板部材６０はバネ７３によりロック解除位置に付勢され、キャスタ３、４が全てロック解除状態となる。
【００５０】
本実施形態に係る天板付家具は、以上に述べたように、前記天板２０が起立位置にある際には、前記ロック解除機構８によりキャスタ３、４のロック手段３Ａ、４Ａ自体をロック解除状態にするので、天板の移動に伴いアジャスタを昇降させる前記特許文献１記載の構成と比較して、アジャスタの設置スペースを必要とせず、脚体のデザインの自由度を向上できるとともに、キャスタ３、４をより脚ベース１０の両端寄りに設置でき、従ってこのような天板付家具を安定して設置できる。また、前記天板２０が起立位置にある際には、すべてのキャスタ３、４は必ずロック解除状態となるので、前記天板２０を起立位置にしてこのような天板付家具を運搬する際に、キャスタ３、４のロック手段３Ａ、４Ａをロック状態にしたまま天板付家具を移動させようとしてしまうことに伴い発生する、キャスタ３、４の故障等の不具合の発生を防ぐことができる。
【００５１】
前記キャスタ３、４を脚ベース１０の長手方向に沿って所定距離離間して対をなして設け、前記ロック手段３Ａ、４Ａを作動させるために外力により操作される操作手段５と、前記脚ベース１０の内部において前記操作手段５と前記ロック手段３Ａ、４Ａとの間に介在するとともに対をなすキャスタのロック手段３Ａ、４Ａを接続し、ロック手段３Ａ、４Ａをロック状態とするロック位置とロック手段３Ａ、４Ａをロック解除状態とするアンロック位置との間を移動可能な操作力伝達手段６と、前記操作力伝達手段６をロック位置及びアンロック位置のいずれかに選択的に係止する係止手段７とを具備し、係止手段７を、前記天板２０が使用位置にある際にのみ機能させるようにしているとともに、前記ロック解除手段８が、前記天板２０が起立位置にある際に前記操作力伝達手段６を常にアンロック位置に位置させるようにしているので、前記天板２０が起立位置にある際には、前段で述べたような効果を得ることができるようにしつつ、前記天板２０が使用位置にある際には、必要に応じて対をなして設けたキャスタ３、４を同時にロック状態又はアンロック状態とすることができる。
【００５２】
前記操作力伝達手段６をアンロック位置側に付勢する付勢手段たるバネ７３を利用して前記ロック解除手段８を形成しているので、このような天板付家具において、前記天板２０が起立位置にある際にロック手段３Ａ、４Ａを確実にアンロック位置にしておくことができる。
【００５３】
前記係止手段７が、天板２０に付勢されて動作するピン７２と、前記操作力伝達手段６に接続され前記天板２０が使用位置にある際にのみ前記ピン７２と係合可能なカム部材７１とを具備するので、このような係止手段７のピン７２を、天板２０を起立位置に移動させる際に天板２０とともに移動させてカム部材７１との係合を解除させる簡単な構成により、上述したような構成を実現できる。
【００５４】
前記カム部材７１が、前記操作手段５に対する同一の操作を受けて、前記操作力伝達手段６をロック位置及びアンロック位置のいずれかに排他的に切り替えるトグル機能を有するので、簡単な操作でロック手段３Ａ、４Ａのロック又はアンロックを行うことができる。
【００５５】
なお、本発明は以上に述べた実施形態に限られない。
【００５６】
例えば、上述した実施形態において、付勢手段たるバネ７３を、他の部位、例えばカム部材７１の近傍に設ける態様が考えられる。また、上述した実施形態において、振り子部材５２を軸着している回動軸５２Ｘに付勢手段たるねじりコイルバネを設け、該振り子部材５２をアンロック側に付勢するようにしてもよい。
【００５７】
また、キャスタ本体を前記脚ベースに対して所定動作範囲において昇降可能に固定する昇降機構を備える態様も考えられる。
【００５８】
さらに、ロック解除手段及び係止手段の構成も種々考えられる。例えば、上述した実施形態における係止手段のピンを脚ベースに固定して設け、前記ピンとカム部材とが常に係合するようにするとともに、操作力伝達手段に厚さ方向に貫通する貫通孔を設け、天板が起立位置に移動した際に下端部が前記貫通孔を貫通し操作力伝達手段の前後動を禁止し操作力伝達手段をロック解除位置に固定する固定ピンをさらに設け、天板と固定ピンとを第２操作力伝達手段により接続する構成が考えられる。なお、前記第２操作力伝達手段は、例えばリンク機構等を利用して形成する。
【００５９】
加えて、前記操作手段の構成も種々考えられる。例えば、レバーを前方に位置させた場合に操作力伝達手段がロック解除位置、レバーを後方に位置させた場合に操作力伝達手段がロック位置にそれぞれ位置するような構成等が考えられる。
【００６０】
そして、前記操作手段の設置位置は任意に設定してよい。例えば、脚ベースの長手方向先端部に操作手段を設けてもよい。
【００６１】
その他、本発明の趣旨を逸脱しない範囲で種々変形が可能である。
【図面の簡単な説明】
【００６２】
【図１】本発明の一実施形態に係るテーブルの全体斜視図。
【図２】同実施形態に係るテーブルの天板を使用位置に位置させた状態の側面図。
【図３】同実施形態に係るテーブルの天板を起立位置に位置させた状態の側面図。
【図４】同実施形態に係るテーブルの動作伝達機構及びキャスタの接続部を示す平面図。
【図５】同実施形態に係るキャスタ及び操作手段を示す模式的な断面図。
【図６】同実施形態に係るキャスタ及び係止手段を示す模式的な断面図。
【図７】同実施形態に係るキャスタ及び操作手段を示す動作説明図。
【図８】同実施形態に係るキャスタ及び係止手段を示す動作説明図。
【図９】同実施形態に係る係止手段を示す模式的な図。
【図１０】同実施形態に係るテーブルの脚体及び天板の接続部分を示す斜視図。
【図１１】同実施形態に係るテーブルの脚体及び天板の接続部分を示す斜視図。
【符号の説明】
【００６３】
Ｔ…テーブル（天板付家具）
１…脚体
２０…天板
３、４…キャスタ
３Ａ、４Ａ…ロック手段
５…操作手段
６…操作力伝達手段
７…係止手段
７３…バネ（付勢手段）
８…ロック解除手段
【図１】
0004641875.tif 000002
【図２】
0004641875.tif 000003
【図３】
0004641875.tif 000004
【図４】
0004641875.tif 000005
【図５】
0004641875.tif 000006
【図６】
0004641875.tif 000007
【図７】
0004641875.tif 000008
【図８】
0004641875.tif 000009
【図９】
0004641875.tif 000010
【図１０】
0004641875.tif 000011
【図１１】
0004641875.tif 000012